【事件の表示】
　特許第３４２８５６５号「弾球遊技機」の請求項１に係る特許に対する特許異議の申立てについて、次のとおり決定する。
【結　論】
　特許第３４２８５６５号の請求項１に係る特許を維持する。
【理　由】
１・手続の経緯
　特許第３４２８５６５号の請求項１に係る発明（本件発明）についての特許出願は、平成５年８月３０日に出願された特許出願（特願平５−２３８９７６号）の一部が特許法第４４条第１項の規定により平成９年８月２２日に新たな特許出願（特願平９−２４１７６６号）とされ、この新たな特許出願の一部が特許法第４４条第１項の規定により平成１２年５月２２日に新たな特許出願とされたものであって、平成１５年５月１６日にその発明について特許権の設定登録がなされ、その後、特許異議申立人・町田彬より特許異議の申立てがなされたものである。
２・特許異議申立てについて
（１）本件発明
　本件発明は、特許明細書の特許請求の範囲の請求項１に記載された次の事項により特定されるとおりのものである。
　「図柄表示装置（１３）と、遊技球（Ｂ）を検出して図柄表示装置（１３）の図柄を変動させる始動手段（１４）と、図柄表示装置（１３）の変動後の停止図柄が予め設定された当たり図柄となったときに開放する開閉式入賞装置（１５）と、開閉式入賞装置（１５）に入賞した遊技球（Ｂ）が該開閉式入賞装置（１５）内の特定の通路（３４ａ）を通過したときに利益状態を発生させる利益状態発生装置（１１）（１２）（１６）とを備え、開閉式入賞装置（１５）は、遊技盤（４）の前面側に開口する開口部（２８）と、開口部（２８）の後方側の高さ方向の略全体にわたる複数個の仕切板（３３）により、その１個が前記特定の通路（３４ａ）となるように複数個に区画された内部通路（３４）と、開口部（２８）を開閉し且つ開状態のときに上方から落下する遊技球（Ｂ）を該開口部（２８）内に案内する開閉板（２６）と、開閉板（２６）を開閉操作する開閉駆動手段（２７）と、前記特定の通路（３４ａ）を通過する遊技球（Ｂ）を検出して利益状態発生装置（１１）（１２）（１６）を有効にする検出スイッチ（１８）とを備え、開閉板（２６）が開状態のときに仕切板（３３）の前側で開閉板（２６）上の遊技球（Ｂ）を受けて停留させ、且つ開閉板（２６）の閉動作時に該遊技球（Ｂ）を前記特定の通路（３４ａ）側へと案内する停留部（３８）を、前記特定の通路（３４ａ）に対応して開閉板（２６）に設け、停留部（３８）は開閉板（２６）の開閉時に２個の仕切板（３３）間に前側から出退自在な間隔に配置された左右一対の突起（６０）（６１）（６２）を備え、開閉板（２６）の開状態のときの各仕切板（３３）との間隔はその間から前記特定の通路（３４ａ）に遊技球（Ｂ）が入らない間隔であることを特徴とする弾球遊技機。」
（２）申立ての理由の概要
　申立人は、平成１６年１月１６日付け特許異議申立理由補充書において、甲第１号証（実願昭６２−５６３９２号（実開昭６３−１６３８７４号）のマイクロフィルム）、甲第２号証（特開平４−２３１０８６号公報）、甲第３号証（特開平４−３２７８６９号公報）、甲第４号証（特開昭６３−９２３７１号公報）及び甲第５号証（特開昭６４−３２８８３号公報）を引用し、
本件発明は、本件出願前国内において頒布された甲第１号証に記載された発明に甲第２号証乃至甲第５号証に記載の周知技術を適用することにより、当業者が容易に発明をすることができたものであるから、特許法第２９条第２項の規定に違反して特許されたものであり、
本件発明の特許は、特許法第１１３条第２号の規定により取り消されるべきものである旨主張している。
（３）甲号各証に記載された発明
　甲第１号証には、
特に、
（ア）図面第１図乃至第３図の記載、
（イ）明細書第８頁第１３、１４行の「所定の入賞口に入賞して所定時間が経過した後、可変表示器３の可変表示が停止する」及び同頁第１７乃至２０行の「可変表示器３が停止したその表示内容に応じてソレノイド１９の励磁によって所定時間だけ扉板６が・・・入賞口５を開放する」の記載から、
パチンコ機は、可変表示器３の図柄を可変表示させる所定の入賞口と、可変表示器３の可変表示後の表示内容に応じて開放する入賞装置１を備えているものと認められること、
（ウ）明細書第９頁第２０行乃至第１０頁第２行の「扉板６は開放するが、この開放の間に継続入賞検出スイッチ１０が入賞検出をすると、扉板６は一旦閉じて再び所定時間だけ開放する」の記載から、
パチンコ機は、入賞装置１に入賞したパチンコ球８が該入賞装置１内の継続入賞検出スイッチ１０を通過したときに扉板６を一旦閉じて再び所定時間開放するソレノイド１９を備えているものと認められること、
（エ）明細書第５頁第５乃至１３行の「扉板６の中央部には、三角形状の特定入賞領域部としての仕切板７、７がパチンコ球の直径よりも幾分大きい程度の幅に対向して立設されており、この仕切板７、７の間には、扉板６が開放位置・・・にあるとき落下したパチンコ球８の貯留が可能となっている・・・この仕切板７、７で区切られた、その間は、入賞口５のうちの継続入賞口９となっており」、明細書第８頁第２０行乃至第９頁第５行の「パチンコ球８が扉板６上に・・・落下して、たまたま、特定入賞領域部としての仕切板７、７の間に転がっていくと、仕切板７、７によって・・・そこで停止することになる」、明細書第９頁第１０乃至１７行の「扉板６が閉じる動作の途中で仕切板７、７の間にあるパチンコ球８は、下方へ落下することになり、そのパチンコ球８を継続入賞検出スイッチ１０が入賞検出する。このように仕切板７、７の間に留まっていたパチンコ球８は、遊技者によって、継続入賞口９（仕切板７、７の間）から落下して継続入賞検出スイッチ１０で入賞検出されることが確認できる」及び図面第３図の記載から、
扉板６が開状態のときに空間部２３で扉板６上のパチンコ球８を受けて停留させ、且つ扉板６の閉動作時に該パチンコ球８を継続入賞検出スイッチ１０側へと案内する継続入賞口９が扉板６に設けられ、継続入賞口９は左右一対の仕切板７、７を備えているものと認められること、
からみて、
「可変表示器３と、パチンコ球８を検出して可変表示器３の図柄を可変表示させる所定の入賞口と、可変表示器３の可変表示後の表示内容に応じて開放する入賞装置１と、入賞装置１に入賞したパチンコ球８が該入賞装置１内の継続入賞検出スイッチ１０を通過したときに扉板６を一旦閉じて再び所定時間開放するソレノイド１９とを備え、入賞装置１は、遊技盤の前面側に開口する入賞口５と、空間部２３と、入賞口５を開閉し且つ開状態のときに上方から落下するパチンコ球８を該入賞口５内に案内する扉板６と、扉板６を開閉操作するソレノイド１９と、通過するパチンコ球８を検出して扉板６を一旦閉じて再び所定時間開放する継続入賞検出スイッチ１０とを備え、扉板６が開状態のときに空間部２３でパチンコ球８を受けて扉板６上に停留させ、且つ扉板６の閉動作時に該パチンコ球８を前記継続入賞検出スイッチ１０側へと案内する継続入賞口９を扉板６に設け、継続入賞口９は左右一対の仕切板７、７を備えるパチンコ機」（甲第１号証に記載された発明Ａ）
及び
特に、
（オ）図面第４図、明細書第６頁第１９行乃至第７頁第３行「第４図は、特定入賞領域部として仕切板７、７の他の実施例であって、第２図に示したものに対応する対向した仕切板７、７が扉板６とは別体となつて入賞口５を形成する空間部２３の内壁２４に固着されている」及び明細書第１０頁第１５乃至１７行の「第４図に示す実施例では、仕切板７、７が入賞口５の空間部２３の内壁２４に固着されて、継続入賞口９を形成している」の記載から、
パチンコ機は、入賞口５の後方側の高さ方向の複数個の仕切板７、７により、その１個が前記特定入賞領域部となるように複数個に区画された空間部２３を備えているものと認められること、
（カ）図面第４図の記載から、
パチンコ機は、扉板６が開状態のときに仕切板７、７の横側の特定入賞領域部で扉板６上のパチンコ球８を受けて停留させているものと認められること、
からみて、
「可変表示器３と、パチンコ球８を検出して可変表示器３の図柄を可変表示させる所定の入賞口と、可変表示器３の可変表示後の表示内容に応じて開放する入賞装置１と、入賞装置１に入賞したパチンコ球８が該入賞装置１内の特定入賞領域部を通過したときに扉板６を一旦閉じて再び所定時間開放するソレノイド１９とを備え、入賞装置１は、遊技盤の前面側に開口する入賞口５と、入賞口５の後方側の高さ方向の略全体にわたる複数個の仕切板７により、その１個が前記特定入賞領域部となるように複数個に区画された空間部２３と、入賞口５を開閉し且つ開状態のときに上方から落下するパチンコ球８を該入賞口５内に案内する扉板６と、扉板６を開閉操作するソレノイド１９と、前記特定入賞領域部を通過するパチンコ球８を検出して扉板６を一旦閉じて再び所定時間開放する継続入賞検出スイッチ１０とを備え、扉板６が開状態のときに仕切板７、７の横側の特定入賞領域部でパチンコ球８を受けて扉板６上に停留させ、且つ扉板６の閉動作時に該パチンコ球８を前記継続入賞検出スイッチ１０側へと案内する継続入賞口９を、前記特定入賞領域部に対応して設けるパチンコ機」（甲第１号証に記載された発明Ｂ）
を構成とする発明が記載されているものと認められる。
　甲第２号証には、
特に、
第４頁第６欄第４６行乃至第５頁第７欄第１２行の「開閉扉３２０の裏面部上に至ると、その打球の多くは・・・大入賞口３１中央の継続入賞検出器３３の方向に至る。が、その継続入賞検出器３３の検出孔３３ａの直下に、その開いた開閉扉３２０と一体の係止片３２３の先端部が位置しているので、その検出孔３３ａ中に最初に流入した打球がその検出孔３３ａ中に保持され、その後の球はその検出孔３３ａ中の球に振り分けられて左右の入賞個数検出器３４、３５の検出孔３４ａ、３５ａを介して入賞空間３３８中の下方に流下する。そして、その後・・・開閉扉３２０が大入賞口３１を閉じて係止片３２３が入賞空間中から脱した状態に戻るので、その係止片３２３によって継続入賞検出器３３の検出孔３３ａ中に保持係止されていた球がその係止を解除されてその検出孔３３ａ中を通って入賞空間３３８中の下方に流下する」、第２０頁の【図２５】、【図２６】及び【図２７】並びに第１２頁第２１欄第２８乃至４３行の「開閉扉５２０が開いて大入賞口５３１が開放されたときに、保留部材５８０によって継続入賞口５３３ａ中に球が１個保留可能な状態（図２７）となり、その開閉扉５２０が閉じたときに、その保留されていた球がその継続入賞口５３３ａ中に飲み込まれる・・・より詳しく説明すれば、開閉扉５２０によって開閉される大入賞口５３１中の中央に継続入賞口５３３ａが設けられ、その左右に一般入賞口５３４ａ、５３５ａが設けられている。そして、それら継続入賞口５３３ａおよび一般入賞口５３４ａ、５３５ａには、それぞれ第１実施例におけると同様の継続入賞検出器５３３（図に現れていない）および入賞個数検出器５３４、５３５（図に現れていない）が設置されている」の記載から、
大入賞口５３１の後方側にその高さ方向の略全体にわたる複数個の継続入賞口５３３ａを形成する仕切板があり、入賞空間３３８が継続入賞口５３３ａを形成する仕切板により複数個に区画されているものと認められること、
からみて、
「本可変表示部２２と、遊技球を検出して本可変表示部２２の図柄を変動させる始動入賞口４、７、５と、本可変表示部２２の変動後の停止図柄が大当たりの表示態様となったときに開放する変動入賞装置３０と、変動入賞装置３０に入賞した遊技球が該変動入賞装置３０内の継続入賞口５３３ａを通過したときにサイクルの利益状態を発生させるソレノイド５５０とを備え、変動入賞装置３０は、遊技盤１の前面側に開口する大入賞口５３１と、大入賞口５３１の後方側の高さ方向の略全体にわたる複数個の継続入賞口５３３ａを形成する仕切板により、その１個が前記継続入賞口５３３ａとなるように複数個に区画された入賞空間３３８と、大入賞口５３１を開閉し且つ開状態のときに上方から落下する遊技球を該大入賞口５３１内に案内する開閉扉５２０と、開閉扉５２０を開閉操作するソレノイド５５０と、前記継続入賞口５３３ａを通過する遊技球を検出してサイクルを更新させる継続入賞検出器３３とを備え、開閉扉５２０が開状態のときに継続入賞口５３３ａを形成する仕切板の横側で、すなわち継続入賞口５３３ａ内で、遊技球を受けて停留させ、且つ開閉扉５２０の閉動作時に該遊技球を前記継続入賞口５３３ａから下へと案内する保留部材５８０を、前記継続入賞口５３３ａに対応して設けるパチンコ遊技機」（甲第２号証に記載された発明）
を構成とする発明が記載されているものと認められる。
　甲第３号証には、
特に、
第４頁第５欄第３３乃至３６行の「入賞空間３３８中の中央部に流入した遊技球を検出する継続入賞検出器３３と、同入賞空間３３８中に入賞した遊技球を全て検出する入賞個数検出器３４と」、第１２頁【図６】、第５頁第７欄第３乃至９行の「開閉装置３７０は・・・左右一対の開閉部材３７１，３７１によって構成されている。これら開閉部材３７１，３７１の・・・先端部には覆部３７５，３７５が一体に設けられている」及び同頁同欄第３９乃至４７行の「特別遊技の各サイクルの初期時には・・・図６に示すように開閉扉３２０が開かれる・・・そして・・・継続入賞口開閉装置３７０が開いた状態となっている・・・この状態で・・・流下する遊技球がその開いた開閉扉３２０の裏面部上に至ると、その遊技球の多くは・・・大入賞口３１中央の継続入賞口３３ａの方向に至る」の記載から、
大入賞口３１の後方側の開閉装置３７０の一対の覆部３７５により、入賞空間３３８の１個が継続入賞口３３ａとなるように複数個に区画されているものと認められること、
からみて、
「本可変表示部２２と、遊技球を検出して本可変表示部２２の図柄を変動させる始動入賞口４、７、５と、本可変表示部２２の変動後の停止図柄が大当たりの表示態様となったときに開放する変動入賞装置３０と、変動入賞装置３０に入賞した遊技球が該変動入賞装置３０内の継続入賞口３３ａを通過したときにサイクルの利益状態を発生させるソレノイド３４１とを備え、変動入賞装置３０は、遊技盤１の前面側に開口する大入賞口３１と、大入賞口３１の後方側の開閉装置３７０の一対の覆部３７５により、その１個が前記継続入賞口３３ａとなるように複数個に区画された入賞空間３３８と、大入賞口３１を開閉し且つ開状態のときに上方から落下する遊技球を該大入賞口３１内に案内する開閉扉３２０と、開閉扉３２０を開閉操作するソレノイド３４１と、前記継続入賞口３３ａを通過する遊技球を検出してサイクルを更新する継続入賞検出器３３とを備えるパチンコ遊技機」（甲第３号証に記載された発明）
を構成とする発明が記載されているものと認められる。
　甲第４号証には、
特に、
第２０頁第９図及び第１０図並びに第１０頁第３７欄第１０乃至１６行の「開閉板２１８は、閉成状態と開成状態とに変化可能であり・・・開成状態では・・・そこに・・・入賞口が現われ、落下するパチンコ玉は開成した開閉板２１８で受け止められて該入賞口へ入るようになっている」の記載から、
入賞口の後方側に内部通路があり、開閉板２１８が入賞口を開閉し且つ開状態のときに上方から落下するパチンコ玉を該入賞口内に案内するものと認められること、
からみて、
「可変表示器２２０と、可変入賞球装置２１２と、とを備え、可変入賞球装置２１２は、遊技盤１４の前面側に開口する入賞口と、内部通路と、入賞口を開閉し且つ開状態のときに上方から落下するパチンコ玉を該入賞口内に案内する開閉板２１８と、開閉板２１８を開閉操作するソレノイド２４２とを備えるパチンコ遊技機」（甲第４号証に記載された発明）
を構成とする発明が記載されているものと認められる。
　甲第５号証には、
特に、
（ア）第１０頁右下欄第４乃至８行の「特定入賞口１１４へ打玉が入賞したことに応じて、可変表示器１３６によって可変表示を開始し・・・所定時間を計時した後停止するようにしてもよい」及び同頁同欄第１１乃至１４行の「特定入賞口１１４に打玉が入賞しかつ可変表示器１３６が「７」の数字を表示したとき・・・権利を発生させ」の記載から、
弾球遊技機は、打玉を検出して可変表示器１３６の図柄を変動させる特定入賞口１１４を備え、可変表示器１３６の変動後の停止図柄が「７」となったときに権利を発生させるものと認められること、
（イ）第１０頁左上欄第１乃至５行の「開口部１２８を開閉するために・・・開閉板１３０が設けられている。開閉板１３０は、それが前方に開成したとき、落下してくる打玉を受止め、受止めた打玉を開口部１２８に導くものである」及び同頁同欄第１２乃至１５行の「入賞口としての開口部１２８の下部は３つの領域に区切られていて、それぞれの領域には１０カウント検出スイッチ１２２ａ，１２２ｂ、１２２ｃが設けられている」の記載から、
開口部１２８の後方側に内部通路があり、開閉板１３０が開口部１２８を開閉し且つ開状態のときに上方から落下する打玉を該開口部１２８内に案内するものと認められること、
からみて、
「可変表示器１３６と、打玉を検出して可変表示器１３６の図柄を変動させる特定入賞口１１４と、可変表示器１３６の変動後の停止図柄が「７」となったときに権利を発生させ、始動入賞口１１６に打玉が入賞したときに開放する可変入賞球装置１１２とを備え、可変入賞球装置１１２は、遊技盤１４の前面側に開口する開口部１２８と、内部通路と、開口部１２８を開閉し且つ開状態のときに上方から落下する打玉を該開口部１２８内に案内する開閉板１３０と、開閉板１３０を開閉操作するソレノイド１２４とを備える弾球遊技機」
を構成とする発明が記載されているものと認められる。
（４）対比及び判断
　本件発明（前者）と甲第１号証に記載された発明Ａ（後者）とを対比すると、
後者の
「可変表示器３」、「パチンコ球８」、「可変表示」、「所定の入賞口」、「表示内容に応じて」、「入賞装置１」、「継続入賞検出スイッチ１０」、「扉板６を一旦閉じて再び所定時間開放する」、「ソレノイド１９」、「入賞口５」、「扉板６」、「ソレノイド１９」、「扉板６を一旦閉じて再び所定時間開放する」、「空間部２３」、「仕切板７、７」及び「パチンコ機」
がそれぞれの機能に照らし、それぞれ、
前者の
「図柄表示装置（１３）」、「遊技球（Ｂ）」、「変動」、「始動手段（１４）」、「停止図柄が予め設定された当たり図柄となったときに」、「開閉式入賞装置（１５）」、「検出スイッチ（１８）」、「利益状態を発生させる」、「利益状態発生装置（１１）（１２）（１６）」、「開口部（２８）」、「開閉板（２６）」、「開閉駆動手段（２７）」、「利益状態発生装置（１１）（１２）（１６）を有効にする」、「停留部（３８）」、「突起（６０）（６１）（６２）」及び「弾球遊技機」
に相当するものと認められるから、
両者は、
「図柄表示装置と、遊技球を検出して図柄表示装置の図柄を変動させる始動手段と、図柄表示装置の変動後の停止図柄が予め設定された当たり図柄となったときに開放する開閉式入賞装置と、開閉式入賞装置に入賞した遊技球が該開閉式入賞装置内を通過したときに利益状態を発生させる利益状態発生装置とを備え、開閉式入賞装置は、遊技盤の前面側に開口する開口部と、開口部を開閉し且つ開状態のときに上方から落下する遊技球を該開口部内に案内する開閉板と、開閉板を開閉操作する開閉駆動手段と、通過する遊技球を検出して利益状態発生装置を有効にする検出スイッチとを備え、開閉板が開状態のときに開閉板上の遊技球を受けて停留させ、且つ開閉板の閉動作時に該遊技球を案内する停留部を開閉板に設け、停留部は左右一対の突起を備える弾球遊技機」である、
点において一致し、
前者においては、開口部の後方側の内部通路がその高さ方向の略全体にわたる複数個の仕切板（３３）により複数個に区画され、複数個に区画された内部通路の１個が特定の通路（３４ａ）とされ、仕切板の前側で遊技球を停留させ、停留部に停留している遊技球が特定の通路（３４ａ）に案内され、特定の通路（３４ａ）を通過した遊技球が検出スイッチにより検出され、左右一対の突起が開閉板の開閉時に２個の仕切板（３３）間に前側から出退自在な間隔に配置され、開閉板の開状態のときの各仕切板（３３）と左右一対の突起との間隔はその間から特定の通路（３４ａ）に遊技球が入らない間隔とされている、
のに対し、
後者においては、かかる構成が備えられていない、
点において相違しているものと認められる。
　そこで、この相違点について検討する。
　先ず、甲第２号証に記載された発明について検討すると、
甲第２号証に記載された発明の
「本可変表示部２２」、「始動入賞口４、７、５」、「大当たりの表示態様」、「変動入賞装置３０」、「継続入賞口５３３ａ」、「サイクルの利益状態」、「ソレノイド５５０」、「大入賞口５３１」、「継続入賞口５３３ａを形成する仕切板」、「入賞空間３３８」、「開閉扉５２０」、「ソレノイド５５０」、「サイクルを更新させる」、「継続入賞検出器３３」、「保留部材５８０」及び「パチンコ遊技機」
がそれぞれの機能に照らし、それぞれ
前者の
「図柄表示装置（１３）」、「始動手段（１４）」、「予め設定された当たり図柄」、「開閉式入賞装置（１５）」、「特定の通路（３４ａ）」、「利益状態」、「利益状態発生装置（１１）（１２）（１６）」、「開口部（２８）」、「仕切板」、「内部通路（３４）」、「開閉板（２６）」、「開閉駆動手段（２７）」、「利益状態発生装置（１１）（１２）（１６）を有効にする」、「検出スイッチ（１８）」、「停留部（３８）」及び「弾球遊技機」
に相当するものと認められるから、
甲第２号証に記載された発明には、
「図柄表示装置と、遊技球を検出して図柄表示装置の図柄を変動させる始動手段と、図柄表示装置の変動後の停止図柄が予め設定された当たり図柄となったときに開放する開閉式入賞装置と、開閉式入賞装置に入賞した遊技球が該開閉式入賞装置内の特定の通路を通過したときに利益状態を発生させる利益状態発生装置とを備え、開閉式入賞装置は、遊技盤の前面側に開口する開口部と、開口部の後方側の高さ方向の略全体にわたる複数個の仕切板により、その１個が前記特定の通路となるように複数個に区画された内部通路と、開口部を開閉し且つ開状態のときに上方から落下する遊技球を該開口部内に案内する開閉板と、開閉板を開閉操作する開閉駆動手段と、前記特定の通路を通過する遊技球を検出して利益状態発生装置を有効にする検出スイッチとを備え、開閉板が開状態のときに仕切板の横側で、すなわち特定の通路内で、遊技球を受けて停留させ、且つ開閉板の閉動作時に該遊技球を前記特定の通路から下へと案内する停留部を、前記特定の通路に対応して設ける弾球遊技機」という構成が備えられているものと認められ、
したがって、
甲第２号証に記載された発明には、
上記相違点の前者の構成の内の、
「開口部の後方側の内部通路がその高さ方向の略全体にわたる複数個の仕切板により複数個に区画され、複数個に区画された内部通路の１個が特定の通路とされ、特定の通路を通過した遊技球が検出スイッチにより検出される」という構成は、備えられているものと認められるものの、
上記相違点の前者の構成の内の、
「仕切板の前側で遊技球を停留させ、停留部に停留している遊技球が特定の通路に案内され、左右一対の突起が開閉板の開閉時に２個の仕切板間に前側から出退自在な間隔に配置され、開閉板の開状態のときの各仕切板と左右一対の突起との間隔はその間から特定の通路に遊技球が入らない間隔とされている」という構成は、備えられていないものと認められる。
　次に、甲第３号証に記載された発明について検討すると、
甲第３号証に記載された発明の
「本可変表示部２２」、「始動入賞口４、７、５」、「大当たりの表示態様」、「変動入賞装置３０」、「継続入賞口３３ａ」、「サイクルの利益状態」、「ソレノイド３４１」、「大入賞口３１」、「入賞空間３３８」、「開閉扉３２０」、「ソレノイド３４１」、「サイクルを更新する」、「継続入賞検出器３３」及び「パチンコ遊技機」
がそれぞれの機能に照らし、それぞれ
前者の
「図柄表示装置（１３）」、「始動手段（１４）」、「予め設定された当たり図柄」、「開閉式入賞装置（１５）」、「特定の通路（３４ａ）」、「利益状態」、「利益状態発生装置（１１）（１２）（１６）」、「開口部（２８）」、「内部通路（３４）」、「開閉板（２６）」、「開閉駆動手段（２７）」、「利益状態発生装置（１１）（１２）（１６）を有効にする」、「検出スイッチ（１８）」及び「弾球遊技機」
に相当するものと認められるから、
甲第３号証に記載された発明には、
「図柄表示装置と、遊技球を検出して図柄表示装置の図柄を変動させる始動手段と、図柄表示装置の変動後の停止図柄が予め設定された当たり図柄となったときに開放する開閉式入賞装置と、開閉式入賞装置に入賞した遊技球が該開閉式入賞装置内の特定の通路を通過したときに利益状態を発生させる利益状態発生装置とを備え、開閉式入賞装置は、遊技盤の前面側に開口する開口部と、開口部の後方側の開閉装置３７０の一対の覆部３７５により、その１個が前記特定の通路となるように複数個に区画された内部通路と、開口部を開閉し且つ開状態のときに上方から落下する遊技球を該開口部内に案内する開閉板と、開閉板を開閉操作する開閉駆動手段と、前記特定の通路を通過する遊技球を検出して利益状態発生装置を有効にする検出スイッチとを備える弾球遊技機」という構成が備えられているものと認められ、
したがって、
甲第３号証に記載された発明には、
上記相違点の前者の構成の内の、
「開口部の後方側の内部通路が複数個に区画され、複数個に区画された内部通路の１個が特定の通路とされ、特定の通路を通過した遊技球が検出スイッチにより検出される」という構成は、備えられているものと認められるものの、
上記相違点の前者の構成の内の、
「内部通路がその高さ方向の略全体にわたる複数個の仕切板により複数個に区画され、仕切板の前側で遊技球を停留させ、停留部に停留している遊技球が特定の通路に案内され、左右一対の突起が開閉板の開閉時に２個の仕切板間に前側から出退自在な間隔に配置され、開閉板の開状態のときの各仕切板と左右一対の突起との間隔はその間から特定の通路に遊技球が入らない間隔とされている」という構成は、備えられていないものと認められる。
　さらに、甲第４号証及び甲第５号証に記載された各発明について検討すると、
甲第４号証に記載された発明の
「可変表示器２２０」、「可変入賞球装置２１２」、「入賞口」、「パチンコ玉」、「ソレノイド２４２」及び「パチンコ遊技機」
がそれぞれの機能に照らし、それぞれ
前者の
「図柄表示装置（１３）」、「開閉式入賞装置（１５）」、「開口部（２８）」、「遊技球（Ｂ）」、「開閉駆動手段（２７）」及び「弾球遊技機」
に相当し、
また、
甲第５号証に記載された発明の
「可変表示器１３６」、「打玉」、「特定入賞口１１４」、「「７」」、「可変入賞球装置１１２」及び「ソレノイド１２４」
がそれぞれの機能に照らし、それぞれ
前者の
「図柄表示装置（１３）」、「遊技球（Ｂ）」、「始動手段（１４）」、「予め設定された当たり図柄」、「開閉式入賞装置（１５）」及び「開閉駆動手段（２７）」
に相当するものと認められるから、
甲第４号証に記載された発明には、
「図柄表示装置と、開閉式入賞装置とを備え、開閉式入賞装置は、遊技盤の前面側に開口する開口部と、内部通路と、開口部を開閉し且つ開状態のときに上方から落下する遊技球を該開口部内に案内する開閉板と、開閉板を開閉操作する開閉駆動手段とを備える弾球遊技機」という構成が、
また、
甲第５号証に記載された発明には、
「図柄表示装置と、遊技球を検出して図柄表示装置の図柄を変動させる始動手段と、図柄表示装置の変動後の停止図柄が予め設定された当たり図柄となったときに権利を発生させ、始動入賞口１１６に遊技球が入賞したときに開放する開閉式入賞装置とを備え、開閉式入賞装置は、遊技盤の前面側に開口する開口部と、内部通路と、開口部を開閉し且つ開状態のときに上方から落下する遊技球を該開口部内に案内する開閉板と、開閉板を開閉操作する開閉駆動手段とを備える弾球遊技機」という構成が、
それぞれ備えられているものと認められるものの、
甲第４号証及び甲第５号証に記載された各発明には、
上記相違点の前者の構成は、備えられていないものと認められる。
　なお、甲第４号証に関し、申立人は、特許異議申立理由補充書第２２頁第１，２行において、甲第４号証の第９図には、各入賞口を区切る、入賞空間の開口部の高さ方向の略全体にわたる仕切板が開示されている旨、また、甲第５号証に関し、同書同頁第１５乃至２２行において、甲第５号証の第１０頁左上欄第１２乃至１５行「入賞口としての開口部１２８の下部は３つの領域に区切られていて、それぞれの領域には１０カウント検出スイッチ１２２ａ，１２２ｂ、１２２ｃが設けられている」及び第１２図には、入賞口が３つに分画され、各入賞口を区切る、入賞空間の開口部の高さ方向の略全体にわたる仕切板が開示されている旨、主張している。甲第４号証の第９図には、確かに、開閉板２１８の所に点線で所定幅の部材が間隔を置いて２つ描かれている。しかし、この部材が何であるかは甲第４号証には明記されていないし、甲第４号証においては、開口部内には入賞玉検出スイッチ２５９以外のスイッチはなく、開口部に入賞した遊技球は全て入賞玉検出スイッチ２５９を通過するのであるから、開口部を仕切板で区画する必然性がない。したがって、この点線で描かれた部材を仕切板と認めることはできない。甲第５号証の第１２図には、やはり開閉板１３０の所に点線で所定幅の部材が間隔を置いて２つ描かれている。そして、この部材が何であるかは甲第５号証には明記されていない。また、開口部１２８の下部にある３つの検出スイッチは、全て１０カウント検出スイッチであって、開口部１２８に入賞した遊技球は３つの１０カウント検出スイッチのいずれを通過してもよいのであるから、開口部１２８を仕切板で区画する必然性がない。しかも、甲第５号証の第１０頁左上欄第１２乃至１５行の記載は、開口部１２８の下部が３つの領域に区切られていることを述べるに止まり、その上部までが区切られていることを述べるものではないから、この点線で描かれた部材を仕切板と認めることはできない。
　以上の検討によると、上記相違点の前者の構成が最も備えられているのは、甲第２号証に記載された発明であるものと認められる。
　しかし、相違点の前者の構成の内の「仕切板の前側で遊技球を停留させ、停留部に停留している遊技球が特定の通路に案内され」るという構成は、後者に甲第２号証に記載された発明を適用しても、もちろん後者に甲第３号証乃至甲第５号証に記載された各発明を適用しても、依然として埋めることのできないものである。
　そして、甲第２号証乃至甲第５号証に記載された各発明によっても埋めることができない上記相違点の前者の構成により、前者は、特許明細書の段落【００３２】に記載された「開閉板２６が開状態のときに停留部３８が仕切板３３の前側で開閉板２６上の遊技球Ｂを受けて停留させるようになっているので、停留部３８が開閉板２６の後方側にあるものに比較して、停留部３８を含む開閉板２６側を小型化できる」及び「仕切板３３の前側で開閉板２６上の遊技球Ｂを停留させる構造であるにも拘わらず、開閉板２６の閉動作時に、停留部３８の遊技球を２個の仕切板３３間を経て特定の通路３４ａに確実に案内できる」という効果を奏するものと認められる。
　ところで、申立人は、特許異議申立理由補充書第２３頁第２乃至１４行において、甲第１号証の第４図に、入賞空間の開口部５の高さ方向の略全体にわたる仕切板が開示されている旨主張している。上記（３）の甲第１号証の（オ）の明細書第６頁第１９行乃至第７頁第３行の記載からすれば、第４図示のものは、「仕切板７，７の他の実施例」であるから、後者に後者の他の実施例である第４図示のものを適用することが果たしてできるのかという点は措くとして、第４図示のものである甲第１号証に記載された発明Ｂについて検討するに、
甲第１号証に記載された発明Ｂの
「可変表示器３」、「パチンコ球８」、「可変表示」、「所定の入賞口」、「表示内容に応じて」、「入賞装置１」、「特定入賞領域部」、「扉板６を一旦閉じて再び所定時間開放する」、「ソレノイド１９」、「入賞口５」、「仕切板７、７」、「扉板６」、「ソレノイド１９」、「扉板６を一旦閉じて再び所定時間開放する」、「継続入賞検出スイッチ１０」、「空間部２３」及び「パチンコ機」
がそれぞれの機能に照らし、それぞれ、
前者の
「図柄表示装置（１３）」、「遊技球（Ｂ）」、「変動」、「始動手段（１４）」、「停止図柄が予め設定された当たり図柄となったときに」、「開閉式入賞装置（１５）」、「特定の通路（３４ａ）」、「利益状態を発生させる」、「利益状態発生装置（１１）（１２）（１６）」、「開口部（２８）」、「仕切板（３３）」、「開閉板（２６）」、「開閉駆動手段（２７）」、「利益状態発生装置（１１）（１２）（１６）を有効にする」、「検出スイッチ（１８）」、「停留部（３８）」及び「弾球遊技機」
に相当するものと認められるから、
甲第１号証に記載された発明Ｂには、
「図柄表示装置と、遊技球を検出して図柄表示装置の図柄を変動させる始動手段と、図柄表示装置の変動後の停止図柄が予め設定された当たり図柄となったときに開放する開閉式入賞装置と、開閉式入賞装置に入賞した遊技球が該開閉式入賞装置内の特定の通路を通過したときに利益状態を発生させる利益状態発生装置とを備え、開閉式入賞装置は、遊技盤の前面側に開口する開口部と、開口部の後方側の高さ方向の略全体にわたる複数個の仕切板により、その１個が前記特定の通路となるように複数個に区画された内部通路と、開口部を開閉し且つ開状態のときに上方から落下する遊技球を該開口部内に案内する開閉板と、開閉板を開閉操作する開閉駆動手段と、前記特定の通路を通過する遊技球を検出して利益状態発生装置を有効にする検出スイッチとを備え、開閉板が開状態のときに仕切板の横側の特定通路で開閉板上の遊技球を受けて停留させ、且つ開閉板の閉動作時に該遊技球を前記検出スイッチ側へと案内する停留部を、前記特定の通路に対応して設ける弾球遊技機」という構成が備えられているものと認められ、
したがって、
甲第１号証に記載された発明Ｂには、
上記相違点の前者の構成の内の、
「開口部の後方側の内部通路がその高さ方向の略全体にわたる複数個の仕切板により複数個に区画され、複数個に区画された内部通路の１個が特定の通路とされ、特定の通路を通過した遊技球が検出スイッチにより検出され」るという構成は、備えられているものと認められるものの、
上記相違点の前者の構成の内の、
「仕切板の前側で遊技球を停留させ、停留部に停留している遊技球が特定の通路に案内され、左右一対の突起が開閉板の開閉時に２個の仕切板間に前側から出退自在な間隔に配置され、開閉板の開状態のときの各仕切板と左右一対の突起との間隔はその間から特定の通路に遊技球が入らない間隔とされている」という構成は、備えられていないものと認められる。
　要するに、甲第１号証に記載された発明Ｂは、甲第２号証に記載された発明と同様のものであり、そうすると、上記したように、相違点の前者の構成の内の「仕切板の前側で遊技球を停留させ、停留部に停留している遊技球が特定の通路に案内され」るという構成は、後者に甲第１号証に記載された発明Ｂを適用しても、埋めることができないというべきである。
（５）むすび
　以上のとおり、特許異議申立ての理由及び証拠によっては、本件発明の特許を取り消すことはできない。
　また、他に本件発明の特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年９月２９日（２００４．９．２９）